(57)【特許請求の範囲】
【請求項１】
光軸に沿って主方向に光ビームを放出する照明デバイスであって、
光源と、
前記光軸上に設けられ、前記光軸に沿って前記光源に対して移動可能である正屈折レンズと、
前記光軸上に設けられ、ＦＷＨＭが３°乃至１５°の範囲内にあるブラーリング強度を有する混合構造部と、
を含み、
前記混合構造部の前記ブラーリング強度は、前記光軸からの半径方向における距離の増加と共に、徐々に且つ連続的に増加する、照明デバイス。
【請求項２】
前記混合構造部の前記ブラーリング強度は、少なくとも１．１倍だけ、好適には少なくとも１．６倍だけ、前記光軸から前記半径方向において増加することを特徴とする、請求項１に記載の照明デバイス。
【請求項３】
前記ブラーリング強度のＦＷＨＭは、４．５°乃至１０°の範囲内にあることを特徴とする、請求項１又は２に記載の照明デバイス。
【請求項４】
前記ブラーリング強度は、ガウスプロファイルに従う分布を有することを特徴とする、請求項１乃至３の何れか一項に記載の照明デバイス。
【請求項５】
前記混合構造部は、前記光源と前記正屈折レンズとの間に設けられることを特徴とする、請求項１乃至４の何れか一項に記載の照明デバイス。
【請求項６】
前記混合構造部は、別箇の担体上に設けられることを特徴とする、請求項５に記載の照明デバイス。
【請求項７】
前記混合構造部は、前記光源に向いている前記正屈折レンズの光入射面上に設けられることを特徴とする、請求項１乃至４の何れか一項に記載の照明デバイス。
【請求項８】
前記混合構造部は、１つの部分にあることを特徴とする、請求項１乃至４の何れか一項に記載の照明デバイス。
【請求項９】
前記混合構造部は、ファセット、凹面又は凸面小型レンズ、プリズム、プリズムリッジ、ガス包有物、艶消しされた表面、サンドブラストされた表面、エッチングされた表面、液体包有物、固体包有物からなる群から選択される少なくとも１つのマイクロサイズのテクスチャを有することを特徴とする、請求項１乃至８の何れか一項に記載の照明デバイス。
【請求項１０】
前記混合構造部は、幾何学的な規則的構造部となっていることを特徴とする、請求項１乃至９の何れか一項に記載の照明デバイス。
【請求項１１】
前記混合構造部は、ランダム構造部となっていることを特徴とする、請求項１乃至９の何れか一項に記載の照明デバイス。
【請求項１２】
前記正屈折レンズは、非球面レンズであることを特徴とする、請求項１乃至１１の何れか一項に記載の照明デバイス。
【請求項１３】
前記正屈折レンズは、直径ＤＬを有し、前記光源は、直径ＤＬＳを有し、ＤＬ／ＤＬＳ＞＝６、好適には、ＤＬ／ＤＬＳ＞＝８であることを特徴とする、請求項１乃至１２の何れか一項に記載の照明デバイス。
【請求項１４】
ＦＷＨＭが３°乃至１５°の範囲内にあるブラーリング強度を有する混合構造部を備えたレンズであって、
前記混合構造部の前記ブラーリング強度は、光軸からの半径方向における距離の増加と共に、徐々に且つ連続的に増加する、レンズ。
【請求項１５】
光ビームの所望品質又は必要品質を得る方法であって、前記方法は、
一次光ビームを生成する光源を選択するステップと、
二次光ビームについて、色収差及び形状差異のうちの少なくとも一方の少なくとも１つの所望閾値又は必要閾値を選択するステップと、
前記一次光ビームの前記二次光ビームへの変換のための混合構造部を提供するステップであって、前記混合構造部は、光軸上に設けられ、ＦＷＨＭが３°乃至１°の範囲内にあるブラーリング強度ＦＷＨＭを有し、前記混合構造部の前記ブラーリング強度は、前記光軸からの半径方向における距離の増加と共に、徐々に且つ連続的に増加する、前記ステップと、
前記二次光ビームの前記少なくとも１つの所望閾値又は必要閾値が得られる最小追加ブラーリングを決定するために、前記混合構造部の前記ブラーリング強度を変化させることによって、前記一次光ビームの前記変換を変化させるステップと、
を含む、方法。
【発明の詳細な説明】
【技術分野】
【０００１】
本発明は、光軸に沿って主方向に光を放出する光源と、光軸上に設けられるレンズとを含む照明デバイスに関する。本発明は更に、レンズと、光ビームの所望品質又は必要品質を得る方法とに関する。
【背景技術】
【０００２】
今日では、スポット照明デバイスは、小売店照明及び博物館照明において広く適用されている。配光は、主に光源と、光学的ソリューション、即ち、リフレクタ、ＴＩＲ−コリメータ又はレンズといった光学部品とによって規定される。各光学的ソリューションは、それ自身の特性、利点及び欠点を有し、光学的構成の選択は、応用の要件に大きく依存する。
【０００３】
例えばＴＩＲ−コリメータは、高光学効率及び配光の妥当な制御を有するソリューションであるが、可変ビーム幅を作ることができない。リフレクタは、より広いビームには優れた光学効率を有するソリューションになるが、直接光に起因して、通常は、配光において鮮明なカットオフを示さない。これは、ある程度までは、ディープリフレクタによって又は直接光を遮蔽することによって改善することができるが、これは、効率を下げ、非常に細いビームは依然として困難なままである。フレネルレンズは、屈折／反射リングのエッジにおける回折の発生により、配光の均一性を下げる傾向がある。優れた強度分布を有する細いビームは、凸状の正レンズを使用して作ることができるが、色収差及び光源の可視像を示すという欠点を有する。更に、上記正レンズと併せて、例えばＬＥＤが光源として使用される場合、ランバート（Lambertian）ＬＥＤ源からの一部の光はレンズに入らず、ハウジング内で吸収されるので、光学的効率が比較的低くなるというリスクが増加される。ビームの幅は、レンズとＬＥＤとの間の距離を調整することによって変更することができる。
【０００４】
それぞれ、自身の欠点を有する従来技術の既知のソリューションを考慮すると、例えば５°〜９０°の範囲、例えば５°〜４０°又は８°〜２０°の範囲から選択される頂角を有する仮想錐体内で放出される一方で、比較的鮮明であり、標準の光強度分布と比較的均一の色配光とを維持する光のビームである非常に細いビームから広いビームまで変化可能なビーム幅を提供する照明デバイスが必要である。このような照明デバイスは、例えば小さい物から大きい物を様々に展示する店舗又は博物館内の物体の照明である数多くの応用に役立つ。
【発明の概要】
【発明が解決しようとする課題】
【０００５】
本発明は、冒頭段落に説明されたようなタイプであって、ビーム幅を変えることができ、また、上記欠点の少なくとも１つが抑えられる照明デバイスを提供することを目的とする。
【課題を解決するための手段】
【０００６】
そのために、冒頭段落に説明されたようなタイプの照明デバイスは、レンズが、光軸に沿って光源に対して移動可能であり、ＦＷＨＭが３°乃至１５°の範囲にあるブラーリング強度を有する混合構造部が、光軸上に設けられることを特徴とし、混合構造部のブラーリング強度は、光軸からの半径方向における距離Ｒの増加と共に徐々に且つ連続的に増加する。
【０００７】
本発明は、好適には、特に博物館照明及びハイエンド小売店照明といった応用において光の質が非常に重要であるスポット照明に使用されることが好適である。本発明による照明デバイスは、細いビーム、可変ビーム、優れた色均一性、回転方向における優れた強度均一性及び優れた半径方向強度プロファイルの組み合わせを提供する。混合構造部は、色収差に起因する色アーチファクト及び他のアーチファクトを低減するように使用される。光線は、レンズの外縁に向かってより急に曲がるので、ブラーリングによる色収差の補正がより重要であり、したがって、レンズの中心よりもエッジに近い方が幾分強い。必要なブラーリング強度は、レンズ材料、レンズ形状、光源形状及び光源からレンズまでの距離といった幾つかのパラメータに依存する。一般に、混合構造部は、曖昧さの増加及びビームの広がりの両方の現象をもたらす。曖昧さは、色収差及び投影面上の光源の結像を無くすので望ましい。しかし、ビームの広がりは、照明デバイスのビーム幅制御の範囲を制限し、しばしば、ビームエッジの鮮明なカットオフを減少させるので望ましくない。したがって、これらの２つの相反する現象の適切な設定が選択されなければならない。
【０００８】
好適には、混合構造部のブラーリング強度は、この効果に適切に対処するために、光軸から半径方向において、少なくとも１．１倍、例えば１．２５倍だけ増加するが、ビームの不鮮明なエッジ及び／又はビームの広がりを回避するために、１．６倍未満であることが好適である。ほんの一例として、中心において、混合構造部によって追加された５°のＦＷＨＭのブラーリング強度を有するレンズは、レンズのエッジにおいて、５．５°乃至９°のＦＷＨＭの範囲内のブラーリング強度を有することが好適である。
【０００９】
ブラーリング強度は、次の通りに決定される。即ち、最初に、レーザビームの（光）線のコリメートされた束、即ち、基本的に０°の半値全幅（ＦＷＨＭ）を有する光ビーム（即ち、レーザビーム）が取られる。当該光線の束のコリメートされたビームは、混合構造部を通り伝搬し、結果として、ビームの光の少し発散する光線の束への広がりがもたらされる。当該少し発散する光線は、錐体軸（光軸と一致してもよい）の周りで仮想錐体へと伝搬し、仮想錐体は、３°乃至１５°の範囲内の頂角を有する。コリメートされたビーム（ＦＷＨＭ＝０°を有する）における光線の束からの光の広がったビームにおける相互に発散する光線の束への広がりは、ＦＷＨＭとして測定され、混合構造部のブラーリング強度として規定される。即ち、本発明では、特に、上記ブラーリング強度は、３°乃至１５°のＦＷＨＭの範囲内であるように設定される。所望のブラーリング強度は、例えばサンドブラスト加工された表面であるランダムマイクロサイズ構造部によって又は例えば円角錐のモザイク模様表面である規則的なマイクロサイズ幾何学的構造部によって得ることができる。マイクロサイズとは、１μｍ、即ち、少なくとも可視光の波長よりももっと長いサイズから約５０００μｍ又は好適には１０００μｍまでの範囲内のサイズを意味する。ランダム構造部は、一般に、作ることが比較的簡単であり、ブラーリング強度に、好ましい滑らかなビームエッジを有するガウス状ビームを与えるようにするので有利である。ブラーリングが、ガウス分布又はプロファイルを有する場合、ブラーリング強度は、ガウスシグマ、即ち、σでも表すことができ、ここで、σ＝ＦＷＨＭ／２．３５５である。ブラーリングは、横断方向では異なっていてもよい。即ち、ｘ方向では、ブラーリングは例えばたった３°であるが、横断ｙ方向では、ブラーリングは例えば１２°であってよく、これは、所望のビームパターンとは無関係である。
【００１０】
一般に、ＦＷＨＭ３°乃至１５°の範囲におけるブラーリング強度は、標準強度プロファイルを有し、また、均一色分布を有するビームをもたらすように思われる。したがって、例えば光源がＬＥＤである場合、このような程度の散乱は、照明デバイスに、動作中に、所望の質の光ビームを放出される。特に、ブラーリング強度の３°の下限値は、ビームに、許容可能に低い程度の色収差を有するようにさせる。即ち、色収差は、観察可能となる閾値レベルちょうどであるか又は下回る。特に、色空間として、ＣＩＥ（ｕ’，ｖ’）色度図を使用する場合、ビーム内の色収差は、ほとんどの応用について実用的かつ許容可能に低い値であるビームの平均色から上記色空間における座標の０．００５５（ｕ’，ｖ’）未満の半径を有する円よりも小さい。好適には、上記半径は、座標の０．００１３（ｕ’，ｖ’）以下である。即ち、（ｕ’，ｖ’）図の白色領域において、色差が人間によってもはや観察されない５０％の確率におけるちょうど知覚可能な色度差を下回る。上記半径が、（ｕ’，ｖ’）座標の０．００１１以下である場合、色差は、人間によってもはや観察可能ではない。ブラーリング強度が高いほど、色収差の不在及びユークリッド差異（Euclidian difference）の不在、即ち、投影ビームにおける光源像の可視性の不在に関して、ビームの均一性が良くなる。しかし、ブラーリングは過度になるべきではない。したがって、ブラーリング強度の１５°の上限値よりも下では、照明デバイスによって放出される光ビームは、依然として、ほとんどの応用について許容可能に細いことが可能である。
【００１１】
更に、ブラーリングは、拡散散乱と混同されるべきではない。拡散散乱では、拡散散乱が生じる各位置は、ランバート光源として挙動し、元の一次光ビームの比較的小さいエタンデュが増加される。しかし、本発明では、ブラーリングは、事実上常に、ある程度の表面粗さ、内部凹凸又は境界による数パーセント（例えば５％）の散乱を含む。本発明では、混合構造部による拡散散乱は、ある程度まで許可され、混合構造部に衝突する光の最大２５％まで拡散散乱されてよい。例えばサンドブラスト又はエッチングによって得られる混合構造部の場合、大量の拡散散乱の高いリスクがある。サンドブラストされた又はエッチングされた表面による拡散散乱の量は、例えばサンドブラスティング／エッチングの度合いによって、また、これにより得られたパターンの密度によって制御される。即ち、処理表面は、混合構造部に衝突する光のかなりの部分（例えば少なくとも７５％）が影響を受けずに、その元の経路に沿って伝搬するようにほんの軽くサンドブラスト／エッチングされる。混合構造部による拡散散乱は、例えばマイクロサイズのランダムテクスチャ又は小型レンズ、プリズム、ファセットのようなマイクロサイズの規則的な幾何学的構造であるエンボス加工構造部を含む混合構造部の実施形態を用いて制御することがより容易である。エンボス加工構造部の丸みを帯びたエッジ及び急な推移部の不在によって、このようなエンボス加工構造部は、通常、例えば３％といったように１０％以下の少ない拡散散乱が伴う。
【００１２】
投影ビームにおける光源の結像の度合いに関して、長さにおける幾何学的な差異が測定され、本発明では、ユークリッド差異がこのために使用される。ユークリッド差異は、ユークリッド距離、即ち、ユークリッド空間における２点間の直線距離として使用される。そのために、追加ブラーリングのない投影光ビームにおける光源の像に関して、２つの（好適には最も異なる）横断面のユークリッド差異の基本値が測定される。次に、同じ横断面に亘って、ブラーリングが追加された投影光ビームにおける光源の像に関して、ユークリッド差異が決定され、上記基本値によって分割され、ユークリッド差異の正規化値がもたらされる。この正規化値が選択された所望の閾値を下回る場合、例えばここでは１０％を下回る場合、光源の結像は十分に不在であると見なされる又は不可視であると見なされる。
【００１３】
照明デバイスの所望のビーム特性に依存して、光源及びレンズ材料を選択することができる。光源は、好適にはＬＥＤ又は複数のＬＥＤ（例えば白色、ＲＧＢＷ又はＲＧＢＡ）である。これらは比較的安価であり、低電圧応用を可能にし、半球状に順方向においてのみ発光するからである。しかし、或いは、小型ＨＩＤランプ又はハロゲンランプを光源として使用することもできる。
【００１４】
レンズは、例えば屈折性非球面レンズ、球面レンズ、双曲線レンズ、凸凹レンズ、平凸レンズ又は両凸レンズであってよい。正レンズは、一般に、比較的細いビームになるように、光の方向を転換し、光を収束し及び／又は光をコリメートする。色収差は、様々な波長の屈折率の違いによってもたらされる。レンズ材料は、例えば軟質ガラス、硬質グラス、石英ガラス、又は、ＰＭＭＡ、ポリカーボネート若しくはポリエチレンといったポリマー材料から選択されるが、他の（コ）ポリマーも可能である。ガラスレンズは、一般に、例えば光源によってもたらされる高温に幾分優れた耐性があるが、一方で、合成レンズは、ガラスレンズよりも（重量が）幾分軽い。
【００１５】
次の表は、幾つかの適切なレンズ材料の屈折率と波長との関係を示す。
【表１】
0006345890.tif 000002
【００１６】
上記されたように、光源（ＬＥＤ）がレンズの焦点に近い又は焦点内にある場合、光源の像が、例えば壁又は被照明物体である投影面上に投影される。この像はあまり鮮明ではないが、好適である滑らかで均一の回転対称ビームではない。照明デバイスの一実施形態は、ブラーリング強度のＦＷＨＭが４．５°乃至１０°の範囲内にあることを特徴とする。ブラーリング強度のＦＷＨＭ＞＝４．５°は、照明デバイスに、投影面上への光源の結像が事実上取り除かれたビームを放出させる。即ち、投影ビームにおける結像光源のユークリッド差異の正規化値は１０％未満である。ブラーリング強度のＦＷＨＭ＜＝１０°は、照明デバイスに、比較的鮮明なカットオフを有するビームを放出させる。即ち、投影ビームの外側の輪郭エッジは、比較的鮮明に観察される一方で、比較的細いビームを維持することができる。
【００１７】
照明デバイスの一実施形態は、混合構造部が光源とレンズとの間に提供されることを特徴とする。上記されたように、混合構造部は、曖昧さの増加とビームの広がりとの相反する現象を有する。したがって、これらの２つの相反する現象の適切な設定が選択されなければならない。レンズの出射面上に提供される混合構造部を有する照明デバイスは、本発明の１つの適切な実施形態ではあるが、光源からの光がレンズのバルクに入る前の位置（レンズの上流）に提供される、即ち、レンズの入射面に配置される又は光源とレンズとの間に配置される混合構造部の方が、一般に、混合構造部をレンズの出射面又はレンズの後（レンズの下流）に提供することよりも、上記２つの相反する現象間のより良いバランスをもたらすように思われる。つまり、レンズの入射面の前又は入射面上での小さいブラーリングが、ＦＷＨＭビーム幅を著しく増加することなく、ビームを滑らかにする。
【００１８】
照明デバイスの一実施形態は、混合構造部が別箇の担体上に提供されることを特徴とする。これは、レンズ自体に混合構造部を提供するステップが回避されるので、比較的簡単なソリューションである。更に、レンズの上流でも下流でもよい所望の位置に混合構造部を配置することが単純に可能にされる。更に、第１の混合構造部の第２の異なる混合構造部による取り換えも比較的簡単で安価である。
【００１９】
照明デバイスの一実施形態は、混合構造部が光源に向いているレンズの光入射面上に提供されることを特徴とする。したがって、照明デバイスに必要な部品数が低減され、照明デバイスの組み立てがより簡単になる。
【００２０】
照明デバイスの一実施形態は、混合構造部が１つの部分にあることを特徴とし、これは、２つの部分に設けられる、即ち、レンズの入射面及び出射面上に設けられる代替混合構造部、又は、３つの部分に設けられる、即ち、別箇の担体上とレンズの入射面及び出射面上とに設けられる代替混合構造部に比べて、照明デバイスの組み立てを比較的簡単にする。しかし、これらの代替案は、所望の曖昧さ及び不所望のビームの広がりの２つの相反する現象間のバランスを細かく調整する可能性を十分に提供する。
【００２１】
照明デバイスの一実施形態は、混合構造部が、ファセット、凹面又は凸面小型レンズ、プリズム、プリズムリッジ、ガス包有物、艶消しされた表面、サンドブラストされた表面、エッチングされた表面、粉末包有物からなる群から選択される少なくとも１つのマイクロサイズのテクスチャを有することを特徴とする。マイクロサイズとは、１μｍ、即ち、少なくとも可視光の波長よりももっと長いサイズから約５０００μｍ、好適には１０００μｍ以下までの範囲内のサイズを意味する。これは、比較的微細な構造部は、ブラーリングを細かく調整する可能性を十分に提供するからである。ガス包有物、艶消しされた表面、サンドブラストされた表面、エッチングされた表面、固体及び／又は液体包有物といった、これらが埋まっている材料とは異なる屈折率を有するランダムブラーリング構造部は、所望の曖昧さの増加を得る一方で、比較的細いビームを保つのに適している。或いは、例えば小型レンズ又はプリズムのテクスチャである幾何学的構造部を使用して、上記所望の効果を実現してもよい。ランダム構造部に比べて、幾何学的構造部の利点は、ランダム構造部よりも幾何学的構造部を用いた方が、光学的機能をよりうまく制御できる点である。その一方で、ランダム構造部は、場合によっては製造が簡単である。
【００２２】
複数の小型レンズは、凸小型レンズ及び／又は凹小型レンズを含む。これらのレンズの最適光パワーは、上記されたようにユークリッド差異を測定することによって分かる。照明デバイスの一実施形態は、混合構造部が、規則的な幾何学的構造部として、例えば三角形、四角形、長方形、六角形又は正方形との八角形の組み合わせのモザイク模様表面として具体化されることを特徴とする。規則的な構造部の利点は、正しい混合特性を有するように混合構造部をデザインすることがより簡単である点である。幾何学的形状の例としては、
−光入射面に追加され、例えば三角形構成に置かれるドーム、
−光入射面から引かれ、例えば六角形構成に置かれるドーム、
−例えば正方形構成に置かれる放物隆起又は凹部、
−スター形状構成に光入射面に追加される円柱又は錐体。これは、非円形光源の結像を主に相殺する。ビーム幅への影響は制限されるが、色収差の相殺への影響は低減する。これは、光源が円形ではないことが、色収差よりも問題である場合に利点がある。
−同心構成で光入射面に追加される円環体。これは、主に色収差に影響を有し、非環状にはあまり影響がない。ビーム広がりの効果はより大きい。
【００２３】
混合構造部によるブラーリングの度合いは、例えばガス包有物、粒子包有物の密度及び／若しくはサイズ、又は、エンボス加工されたテクスチャプロファイル、プリズム構造部の角度（の広がり）、小型レンズの直径及び半径といった混合構造部のマイクロサイズ要素の幾つかのパラメータによって変化させることができる。更に、混合構造部の材料の屈折率を使用して、ブラーリングの度合いを変化させることができ、又は、混合構造部の表面を形成する及び／又はファセット加工する任意の他の構造部を使用して、ブラーリングの度合いを変化させてもよい。すべてのこれらの表面の重要な特性は、レンズ表面の各位置において、曖昧さを少し増加させ、及び／又は、光の入来ビームを広げる機能である。
【００２４】
照明デバイスの一実施形態は、レンズが非球面レンズであることを特徴とする。非球面屈折レンズは、光学収差を低減するが、通常の凸状屈折レンズよりも幾分より複雑な表面プロファイルを有する。凸状屈折レンズは、照明デバイスが比較的効率的であるようにする。これは、光が屈折材料の外表面に比較的垂直に屈折材料に入る及び屈折材料から出るので、フレネル反射が比較的少ないからである。
【００２５】
照明デバイスの一実施形態は、レンズが直径ＤＬを有し、光源が直径ＤＬＳを有し、ＤＬ／ＤＬＳ＞＝６、好適には、ＤＬ／ＤＬＳ＞＝８であることを特徴とする。ＤＬ／ＤＬＳ＞＝６について、この場合、光源は、レンズに比べて比較的小さいサイズを有するので、多かれ少なかれ、点状の光源であると見なされ、投影ビームにおける光源の結像は、十分に回避することができる。ＤＬ／ＤＬＳ＞＝８の場合、投影ビームにおける光源の結像が、基本的に完全に人間には見えないようにされるので、一層よい結果が得られる。本発明は、例えばハロゲンランプ、高圧ガス放電ランプ（ＨＩＤ）及びＬＥＤであるスポット照明器具における使用から知られている様々な光源に使用することができる。ＬＥＤの利点は、ＬＥＤが、通常、ハロゲンランプ及びＨＩＤのような全方向性光源よりもより効率的な光入力を可能にする約１２０°のＦＷＨＭのランバート発光パターンで開始する点である。全方向性光源の場合、光源のすぐ後ろの反射鏡が、効率を向上させるのに役立つであろう。（小型）蛍光灯又はＯＬＥＤといったより大きい光源は、それらの大きいエタンデュによって、好適ではない。
【００２６】
本発明は更に、ブラーリング強度を有する混合構造部が提供されたレンズに関する。ＦＷＨＭは３°乃至１５°の範囲内にあり、混合構造部のブラーリング強度は、光軸からの半径方向における距離Ｒの増加と共に、徐々に且つ連続的に増加する。このようなレンズは、本発明による照明デバイスに適用可能であるだけでなく、固定レンズ、即ち、光源に対して移動可能ではないレンズを有し、ビーム幅はダイアフラムによって制御される照明デバイスにも適している。
【００２７】
本発明は更に、光ビームの所望又は必要品質を得る方法に関する。上記方法は、
一次光ビームを生成する光源を選択するステップと、
二次光ビームについて、色収差及び形状差異のうちの少なくとも一方の少なくとも１つの所望閾値又は必要閾値を選択するステップと、
一次光ビームの二次光ビームへの変換のための混合構造部を提供するステップであって、混合構造部は光軸上に設けられ、ＦＷＨＭが３°乃至１°の範囲内にあるブラーリング強度ＦＷＨＭを有し、混合構造部のブラーリング強度は、光軸からの半径方向における距離Ｒの増加と共に、徐々に且つ連続的に増加する、上記ステップと、
二次光ビームの少なくとも１つの所望閾値又は必要閾値が得られる最小追加ブラーリングを決定するために、混合構造部のブラーリング強度を変化させることによって、光ビームの変換を変化させるステップとを含む。
【００２８】
光ビームの変換を評価し、最小値のブラーリングを用いて所望閾値又は必要閾値に達するための便利な方法は、得られた値を追加散乱の関数としてプロットする方法である。プロットが閾値を下回る追加ブラーリングの量が、最少追加ブラーリングである。幾何学的差異の可能な尺度はユークリッド差異である。
【００２９】
上記方法において、よりコリメートされた二次光ビームを提供するようにレンズが追加されてもよい。しかし、レンズの存在は、二次ビームにおける光源の結像に影響を及ぼすので、追加ブラーリングを提供する混合構造部のブラーリング特性がそれに応じて調整されなければならない可能性はある。
【図面の簡単な説明】
【００３０】
本発明は、以下に略図によって更に説明される。
【００３１】
【図１】図１は、本発明による照明デバイスの第１の実施形態の横断面を示す。
【図２】図２は、既知の照明デバイス及び図１の照明デバイスによって得られるビームのビームスポット及び特性を示す。
【図３Ａ】図３Ａは、混合構造部によって追加されたブラーリングに関して、レンズによるＬＥＤ光源の結像の関係を示す。
【図３Ｂ】図３Ｂは、混合構造部によって追加されたブラーリングに関して、レンズによるＬＥＤ光源の結像の関係を示す。
【図４Ａ】図４Ａは、レンズの入射面上に提供される本発明による混合構造部の第１の例を示す。
【図４Ｂ】図４Ｂは、レンズの入射面上に提供される本発明による混合構造部の第１の例を示す。
【図５Ａ】図５Ａは、本発明による混合構造部の第２の例を示す。
【図５Ｂ】図５Ｂは、混合構造部の変化に関して、結像のシミュレーション結果を示す。
【図６Ａ】図６Ａは、本発明による混合構造部の第３の例を示す。
【図６Ｂ】図６Ｂは、混合構造部の変化に関して、結像のシミュレーション結果を示す。
【図７Ａ】図７Ａは、追加ブラーリングを有さない場合及び有する場合の光度プロファイルを示す。
【図７Ｂ】図７Ｂは、追加ブラーリングを有さない場合及び有する場合のＦＷＨＭ＝１３°を有するビームの横断面の色差ｄｕ’ｖ’を示す。
【図８Ａ】図８Ａは、光軸からの半径方向距離の関数としてブラーリング強度の一例を示す。
【図８Ｂ】図８Ｂは、光軸からの半径方向距離の関数としてブラーリング強度の一例を示す。
【図８Ｃ】図８Ｃは、光軸からの半径方向距離の関数としてブラーリング強度の一例を示す。
【図８Ｄ】図８Ｄは、光軸からの半径方向距離の関数としてブラーリング強度の一例を示す。
【図８Ｅ】図８Ｅは、光軸からの半径方向距離の関数としてブラーリング強度の一例を示す。
【図８Ｆ】図８Ｆは、光軸からの半径方向距離の関数としてブラーリング強度の一例を示す。
【発明を実施するための形態】
【００３２】
図１は、本発明による照明デバイス１の第１の実施形態の横断面を示す。照明デバイスは、光軸５を中心として光軸の周り配置されるハウジング３を含み、光軸を中心として光軸上に取り付けられる光源７を収容する。図１における光源は、約１ｃｍの直径ＤＬＳを有するドーム９を含むＬＥＤである。ＬＥＤは、一次光ビーム１２を放出する。ハウジングは更に、光軸を中心として光軸上に取り付けられ、約７ｃｍのレンズ直径ＤＬを有し、光軸に沿って及び／又は光軸に亘って光源に対して移動可能であるガラスレンズ１１、即ち、ＬＩＢＡ２０００を含む。レンズは、光入射面１３と光出射面１４とを有する。光入射面には、約４．５°のＦＷＨＭのブラーリング強度を有する混合構造部１５が提供されている。ブラーリングはガウス分布を有する。照明デバイスは、二次光ビーム１６を放出する。
【００３３】
図２は、３つの既知の照明デバイス２によって得られる二次ビームと、図１の本発明の実施形態による照明デバイス１から得られるビーム１８とのビームスポット及び特性の印象を与える。図示されるように、本発明の照明デバイスでは、二次光ビームの比較的細いビームスポット１７を得ることができる。当該二次光ビームは、可変及び均一であり、ビームエッジ１９において鮮明なカットオフを有する。本発明による照明デバイスは、一般に、すべての既知の照明デバイスよりも優れ、また、可変ビームの特徴により、ＴＩＲコリメータを使用する照明デバイスよりも幾分効率が劣るのみである。当該光学効率は、ＴＩＲレンズが使用されない場合は比較的低い。これは、ランバートＬＥＤ源からの一部の光がレンズに入射せず、ハウジング内で吸収されるからである。一方で、ＴＩＲレンズは、基本的にすべての光を捕捉するが、可変ビームを可能にしないため、本発明の目的を果たさない。レンズに直接入らない光は、吸収されるのではなく反射され、光学効率を増加するが、これは、ビームを広げるリスクを高めてしまう。
【００３４】
図３Ａ及び図３Ｂは、混合構造部によって追加された散乱に関して、レンズによるＬＥＤ光源の結像の関係を示す。結像及び色収差を抑えるために、レンズの入射面のブラーリング強度は、ビーム内に可視である像がもはやない程度にまで曖昧さが増加するまで増加される。可視性は、理論上正方形であるＬＥＤ光源１のＡ−Ａと斜め線Ｂ−Ｂとに亘る強度横断面間の相対的差異として規定される。これらの横断面間の差異は、ベクトル間のユークリッド差異として規定される。これらの横断面間の差異は、多くのやり方で規定することができるが、ここでは、ユークリッド距離が使用される。しかし、像の可視性は、常に差異に比例し、定義とは無関係である。任意のブラーリングのない像形成の場合における差異は、１に正規化され、したがって、図３Ｂは、相対的差異をユークリッド距離で示す。混合構造部によって追加されたブラーリングに関して、ＬＥＤ光源のレンズによる結像の関係の図３Ｂの曲線２１によって示されるように、ブラーリング強度が増加すると、像はより不明瞭となり、したがって、横断面間の差異は減少する。即ち、強度プロファイルは丸に近づく。図３Ｂでは、点２０における最大可視性の１０％の閾値にある像形成は、像形成の不在として規定される。曲線から、理論上正方形のＬＥＤ光源のこの特定の場合では、ＦＷＨＭについてのブラーリング強度は、投影ビームにおける結像の不在について約９°である。円形により近い実際の光源の場合、より軽度のブラーリングが十分であり、一般に、丸い光源については、約４°の追加ブラーリング強度が、結像に適切に抑えるためには十分である。なお、応用要件に依存して、例えば最大可視性の２０％又は５％である他の閾値を使用してもよく、また、ユーザテストによって規定されてもよい。壁に投影される像が、ブラーリングなしの場合２３と、約９°のＦＷＨＭの追加ブラーリングを有する場合２５とについて示されている。同様のモデルを使用して、ブラーリング構造部の最低要件を規定して、色収差の可視効果を低減／除去することができる。図６Ａ及び図６Ｂを参照されたい。
【００３５】
図４Ａは、ガラスレンズ１１の入射面１３上に提供される本発明のランダム混合構造部１５の第１の例を示す。入射面は、レンズが制御されたブラーリング特性（図４Ａでは、約４．５°のＦＷＨＭでの追加ブラーリング）を有するようにさせる典型的なテクスチャ２７を有する。ランダム混合構造部は、１０分の数マイクロメートルから数百のマイクロメートルまで変化する直径／サイズと、約１マイクロメートルから約２０マイクロメートルまで変化する高さとを有する不規則な凸凹を含むテクスチャを有する。混合構造部を有するレンズは、レンズの熱いガラスをモールドに圧入することによって作成され、（ミラー）テクスチャは、モールドの平面側にある。表面構造部を作成する他の方法を使用してもよく、例えばガス包有物又は粉末包含を使用する方法、又は、透明レンズ若しくは担体の表面をエッチング剤若しくはサンドブラスティングで処理する方法を使用してもよい。或いは、テクスチャ加工された混合構造部は、同じ所望のブラーリング効果を達成する小型レンズ又はプリズムのテクスチャによって得ることもできる。図４Ｂは、ステッププロファイラによって測定されるレンズ上に提供されるテクスチャの一部のプロファイルを示す。
【００３６】
図５Ａ及び図５Ｂは、レンズ１１上に六角形に配列された小型レンズ３１のモザイク模様表面を含む本発明による混合構造部１５の第２の例と、小型レンズ曲率に関連して、結像のシミュレーション結果（図５Ｂ）とを示す。図５Ａに、六角形に配列された小型レンズの混合構造部のテクスチャが示される。凸状の六角形に配列された球面小型レンズの規則的構造部の影響は、ランダム構造部と同様にシミュレートされ、光源の像の可視性は、混合構造部が不在である場合の１００％に設定される。この例では、ＰＭＭＡレンズの入射面上に提供される各小型レンズについて、０．９ｍｍの直径が使用される。これは、一例に過ぎず、他の適切な材料及び１ｍｍ以下の任意の直径も、製造のために小さ過ぎない又は光の波長に近過ぎない限り、即ち、直径が少なくとも１μｍである限り、使用することができる。小型レンズは、約３ｍｍのレンズの曲率半径を有する０．９ｍｍの球面キャップであり、図５Ａに示されるように、六角形配列に置かれる。多くのシミュレーションが、小型レンズの数と小型レンズの０．９ｍｍの（投影）直径とを維持しつつ、様々な異なるレンズ曲率半径について行われる。図５Ｂに、結果がプロットされる。グラフ３３は、ＬＥＤの像の可視性が、約３ｍｍのレンズ半径及び０．９ｍｍの（投影）直径を有する点３５において〜１０％まで低減されたことを示し、したがって、もはや可視ではないと見なされる。
【００３７】
図６Ａに示されるように、約１００μｍのサイズの直径を有する六角形ファセット３２を有するファセット加工表面を有する混合構造部１５の第３の実施形態についても同様のシミュレーションが行われている。混合構造部の当該第３の実施形態は、光源と、レンズの入射面から３．６ｍｍ上流にあるレンズとの間に配置される１ｍｍの厚さの別個の担体３４の入射面上に提供される。図６Ｂにおいて、これらのシミュレーションの結果がグラフ３３によって示される。担体の平面の主表面に対するファセットの平均配向（ファセット傾斜と呼ばれる）の変化によって、上記主表面は光軸にほぼ垂直に方向付けられた状態で、混合構造部のブラーリング強度は変化し、これは、約２０°のファセット傾斜まで行われる。平均ファセット傾斜が約７°より多い場合、即ち、点３５以降、光源の結像は１０％未満である。ランダムに分布したファセットのファセット加工表面を有する混合構造部の結果が示されているが、シミュレーションから、（実現したいと思うこの広がりビームの形状が何であるかに依存して）他の分布を使用することも可能であり、また、ファセット傾斜の小さい角度（２０°まで）に関して、ファセットの正確な角分布は関与せず、即ち、均等分布を使用することもできると思われる。
【００３８】
図７Ａ及び図７Ｂは、追加ブラーリングを有さない場合３７と、ガウス分布を有するハーフビームの４．２３°のＦＷＨＭの追加ブラーリングを有する場合３９との強度プロファイル（図７Ａ）と、追加ブラーリングを有さない場合４１と、ガウス分布を有する８．５°のＦＷＨＭの追加ブラーリングを有する場合４３とのＦＷＨＭ＝１３°を有するビームの横断面の色差ｄｕ’ｖ’（図７Ｂ）とを示す。混合構造部を用いて、色収差によってもたらされる色アーチファクト及び例えば結像である他のアーチファクトが最小限に抑えられる。必要とされるブラーリング強度は、材料、レンズ形状、光源形状及び光源からレンズまでの距離といった幾つかのパラメータに依存する。必要とされる混合構造部は、以下に説明される方法を使用するシミュレーションによって決定することができる。
【００３９】
混合構造部の効果のシミュレーションのために、直径１２ｍｍの丸い光源が使用され、色差を規定するために、ｄｕ’ｖ’が使用される。基準は、ｕ’ｖ’加重平均である。スポット照明の色アーチファクト用のエネルギースター（ＴＭ）基準は、ｄｕ’ｖ’＜＝０．００５が最大強度の１０％以内であることを必要とするが、様々な応用が様々な要件を有してよい。博物館照明といった非常に要件が厳しい応用では、最大強度の１％以内のｄｕ’ｖ’＜＝０．００５が適用される。
【００４０】
シミュレーションでは、レンズの入射面に提供されるガウス分布を有する８．５°のＦＷＨＭの追加ブラーリングが適用される。図７Ａにおけるグラフは、ビーム内の角度に関して、線形強度分布を示す。実線はブラーリングなしの強度分布であり、点線は上記混合構造部を有する同じレンズの光強度分布を示す。図７Ａにプロットされるグラフは、ブラーリングが、ビームの鮮明さ、即ち、約８°を有するビームを滑らかにするが、ＦＷＨＭビーム幅への影響は非常に限定されている、即ち、ほんの約２°であることを示す。即ち、図７Ａにおけるグラフは、レンズの入射面上の小さい（ガウス）ブラーリングは、ＦＷＨＭビーム幅を増加させることなく、ビームを滑らかにすることを示す。ビームの鮮明さは、強度が最大強度の９０％から最大強度の１０％まで減少する角度空間（angular space）として説明することができる。角度空間が小さい場合、ビームは鮮明である。図７Ａは、混合構造部による追加ブラーリングのない光ビームでは、強度は、小さい角度空間において９０％から１０％まで減少する、即ち、約５°における９０％から約７．５°における１０％まで減少することを示す。図７Ａは更に、混合構造部による追加ブラーリングのある光ビームでは、配光は、基本的にガウス分布である曲線に従い、また、強度が９０％から１０％まで減少する角度空間は、この場合、ずっと大きく、即ち、約３°における９０％から約９°における１０％に減少することを示す。したがって、追加ブラーリングを有するビームは、あまり鮮明ではないが、光源及びリフレクタの同等の組み合わせによって得られるものより依然として鮮明である。
【００４１】
図７Ｂにおけるグラフは、ビーム内の角度に関してｄｕ’ｖ’を示す。実線は、強度が依然として高い６°と７°との間の領域におけるｄｕ’ｖ’の大きい増加を示す。即ち、図７Ａにおけるグラフは、当該領域における強度は、最大で、最大強度のほぼ４０％であることを示す。これは、エネルギースター基準には準ぜず、要件の厳しい応用では容認できない。これとは対照的に、図７Ｂにおける点線は、ｄｕ’ｖ’が最大強度の１％の強度において、約０．００２であることを示す。これは、混合構造部によってもたらされるブラーリング効果の結果である。本発明による照明デバイスは、強度分布及び色差ｄｕ’ｖ’について点線の特徴を有し、上記エネルギースター（ＴＭ）基準の仕様を満たす。更には、ブラーリングは、色収差が容認可能であるために、少し少なくてもよく、これにより、ビームの強度プロファイルが幾分良くなる。最適値は、トライアルアンドエラー処理においてシミュレーションによって規定することができる。好適には、ビーム広がりの所望量は、色収差の不在及び結像の不在について必要とされる２つの最小値のうちの大きい方であり、両方の基準は満たされるが、任意の目に見えるメリットなしにビーム幅を広げる可能性のある任意の追加の不必要な広がりが回避される。
【００４２】
レンズの入射面上のブラーリングのＦＷＨＭが、ブラーリング構造部なしでのビーム角のＦＷＨＭよりも大きい場合、ビーム幅のＦＷＨＭは増加する。これは、ＦＷＨＭにおける最大広がりが、ブラーリング構造部のない同じレンズ形状のビーム幅のＦＷＨＭに等しいという結論をもたらす。これが、基準系の変更できないパラメータに起因して十分な結果をもたらさない場合、より大きいビームが容認されるべきである。
【００４３】
図８Ａ乃至図８Ｆは、光軸からの半径方向距離の関数としてブラーリング強度のＦＷＨＭの例を示す。図示されるように、ブラーリング強度は、半径方向Ｒにおける様々なプロファイルに従って変化する。ブラーリング強度のＦＷＨＭは、一定の小さい勾配（図８Ｂ）で、幾分増加する勾配（図８Ａ）で、幾分減少する勾配（図８Ｃ）で又は急増する勾配（図８Ｅ）で徐々に増加してよい。ブラーリング強度は、段階的であるが、連続的且つ徐々に増加し、１つの階段を有しても（図８Ｆ）又は複数のステップ（図８Ｄ）を有してもよい。図示されるように、ほとんどの場合、混合構造部のブラーリング強度ＦＷＨＭは、少なくとも１．１倍、好適には少なくとも１．６倍だけ光軸から半径方向Ｒにおいて増加する。図８Ｄでは、当該倍率は約２．８である。図８Ａ乃至図８Ｆは、幾つかの例を示すに過ぎず、他の勾配も想到可能であることは明らかである。
【要約】  本発明は、光軸に沿って主方向に光ビームを放出する照明デバイスに関する。照明デバイスは、光源と、光軸上に設けられ、光軸上を光源に対して移動可能である正屈折レンズとを含む。照明デバイスは更に、光軸上に提供され、ＦＷＨＭが３°乃至１５°の範囲内にある追加的ブラーリング強度を有する混合構造部を含む。【図１】
0006345890.tif 000003
【図２】
0006345890.tif 000004
【図３Ａ】
0006345890.tif 000005
【図３Ｂ】
0006345890.tif 000006
【図４Ａ】
0006345890.tif 000007
【図４Ｂ】
0006345890.tif 000008
【図５Ａ】
0006345890.tif 000009
【図５Ｂ】
0006345890.tif 000010
【図６Ａ】
0006345890.tif 000011
【図６Ｂ】
0006345890.tif 000012
【図７Ａ】
0006345890.tif 000013
【図７Ｂ】
0006345890.tif 000014
【図８Ａ】
0006345890.tif 000015
【図８Ｂ】
0006345890.tif 000016
【図８Ｃ】
0006345890.tif 000017
【図８Ｄ】
0006345890.tif 000018
【図８Ｅ】
0006345890.tif 000019
【図８Ｆ】
0006345890.tif 000020